(57)【特許請求の範囲】
【請求項１】
固有の識別情報が記憶され当該識別情報を発信する無線通信手段を備えた駐車場配布カードと、駐車場所ごとに設置され前記駐車場配布カードから前記識別情報を読み取るカードリーダと、このカードリーダにネットワークを介して接続され駐車場の駐車場所情報を記憶した記憶手段を有する管理サーバと、を備えた駐車場管理システムであって、
前記カードリーダが、前記駐車場配布カードから無線通信手段を介して前記識別情報を読み取り前記管理サーバに通知する識別情報読取手段を備えると共に、
前記管理サーバが、前記カードリーダから前記識別情報を取得する識別情報取得手段と、この識別情報を取得した前記カードリーダが設置されている駐車場所を特定してその駐車場所情報に前記取得した識別情報を関連付けて前記記憶手段に記憶する駐車場所登録手段と、携帯端末からアクセスを受けると共に当該携帯端末にて前記駐車場配布カードから取得された前記識別情報の送信を受け付ける携帯端末アクセス受付手段と、前記携帯端末からのアクセス時に送信された前記識別情報に関連付けられている駐車場所情報を前記記憶手段から抽出し前記携帯端末に通知する駐車場所通知手段と、
を備えた、ことを特徴とする駐車場管理システム。
【請求項２】
前記駐車場配布カードは、前記カードリーダに対して無線通信手段にて発信可能なよう前記識別情報を記憶するカードリーダ用記憶手段と、前記携帯端末にて読み取り可能なよう前記識別情報を記憶する携帯端末用記憶手段と、を備えたことを特徴とする請求項１記載の駐車場管理システム。
【請求項３】
前記駐車場配布カードが有する前記携帯端末用記憶手段は、前記携帯端末の画像取得手段にて読み取り可能な印刷記憶手段である、ことを特徴とする請求項２記載の駐車場管理システム。
【請求項４】
前記印刷記憶手段は、バーコードである、ことを特徴とする請求項３記載の駐車場管理システム。
【請求項５】
前記携帯端末用記憶手段は、前記管理サーバにアクセスするためのアドレスデータを含む、ことを特徴とする請求項２，３又は４記載の駐車場管理システム。
【請求項６】
前記駐車場配布カードが有するカードリーダ用記憶手段は、前記識別情報を発信するための前記無線通信手段を備えたＲＦＩＤタグである、ことを特徴とする請求項２，３，４又は５記載の駐車場管理システム。
【請求項７】
前記ＲＦＩＤタグは、前記識別情報を発信する際に使用される電源を備えた、ことを特徴とする請求項６記載の駐車場管理システム。
【請求項８】
前記管理サーバにて制御され駐車場の空き情報を表示する駐車場案内装置を備え、
前記管理サーバは、前記駐車場所情報に基づいて前記識別情報が関連付けられていない駐車場所を前記空き情報として表示するよう前記駐車場案内装置に指令を出す駐車場案内手段を備えた、
ことを特徴とする請求項１，２，３，４，５，６又は７記載の駐車場管理システム。
【請求項９】
駐車場所ごとに設置され駐車場配布カードに記憶された固有の識別情報を無線通信手段を介して読み取るカードリーダに、ネットワークを介して接続された駐車場管理サーバであって、
駐車場の駐車場所情報を記憶する駐車場所情報記憶手段と、
前記カードリーダが前記駐車場配布カードから読み取った前記識別情報を、当該カードリーダから取得する識別情報取得手段と、
この識別情報を取得した前記カードリーダが設置されている駐車場所を特定してその駐車場所情報に前記取得した識別情報を関連付けて前記駐車場所情報記憶手段に記憶する駐車場所登録手段と、
携帯端末からアクセスを受けると共に当該携帯端末にて前記駐車場配布カードから取得された前記識別情報の送信を受け付ける携帯端末アクセス受付手段と、
前記携帯端末からのアクセス時に送信された前記識別情報に関連付けられている駐車場所情報を前記駐車場所情報記憶手段から抽出し前記携帯端末に通知する駐車場所通知手段と、
を備えた、ことを特徴とする駐車場管理サーバ。
【請求項１０】
駐車場所ごとに設置され駐車場配布カードに記憶された固有の識別情報を無線通信手段を介して読み取るカードリーダに、ネットワークを介して接続され、駐車場の駐車場所情報を記憶する駐車場所情報記憶手段を有する駐車場管理サーバに、
前記カードリーダが前記駐車場配布カードから読み取った前記識別情報を、当該カードリーダから取得する識別情報取得手段と、
この識別情報を取得した前記カードリーダが設置されている駐車場所を特定してその駐車場所情報に前記取得した識別情報を関連付けて前記駐車場所情報記憶手段に記憶する駐車場所登録手段と、
携帯端末からアクセスを受けると共に当該携帯端末にて前記駐車場配布カードから取得された前記識別情報の送信を受け付ける携帯端末アクセス受付手段と、
前記携帯端末からのアクセス時に送信された前記識別情報に関連付けられている駐車場所情報を前記駐車場所情報記憶手段から抽出し前記携帯端末に通知する駐車場所通知手段と、
を実現させるためのプログラム。
【請求項１１】
固有の識別情報が記憶され当該識別情報を発信する無線通信手段を備えた駐車場配布カードと、駐車場所ごとに設置され前記駐車場配布カードから前記識別情報を読み取るカードリーダと、このカードリーダにネットワークを介して接続され駐車場の駐車場所情報を記憶した記憶手段を有する管理サーバと、この管理サーバに駐車場所を問い合わせる携帯端末と、を用いて、駐車場を管理する方法であって、
前記カードリーダが、前記駐車場配布カードから無線通信手段を介して前記識別情報を読み取り前記管理サーバに通知する識別情報読取工程と、
前記管理サーバが、前記カードリーダにて読み取られた前記識別情報を取得する識別情報取得工程と、
前記管理サーバが、前記識別情報を取得した前記カードリーダが設置されている駐車場所を特定してその駐車場所情報に前記取得した識別情報を関連付けて前記記憶手段に記憶する駐車場所登録工程と、を有し、
その後、前記管理サーバが、前記携帯端末から前記識別情報の通知を含むアクセスを受け付ける携帯端末アクセス受付工程と、
前記管理サーバが、前記携帯端末からのアクセス時に送信された前記識別情報に関連付けられている駐車場所情報を前記記憶手段から抽出し前記携帯端末に通知する駐車場所通知工程と、を有すると共に、
少なくとも前記携帯端末アクセス工程の前に、前記携帯端末が、前記駐車場配布カードに記憶された前記識別情報を取得する携帯端末識別情報取得工程と、を有する、
ことを特徴とする駐車場管理方法。
【請求項１２】
前記携帯端末識別情報取得工程は、前記携帯端末が、当該携帯端末に装備された画像取得手段にて、前記駐車場配布カードに設けられた前記識別情報を記憶する印刷記憶手段から当該識別情報を読み取る、ことを特徴とする請求項１１記載の駐車場管理方法。
【請求項１３】
前記携帯端末識別情報取得工程は、前記携帯端末が、前記印刷記憶手段に記憶された前記管理サーバにアクセスするためのアドレスデータを前記識別情報と共に読み取る、ことを特徴とする請求項１２記載の駐車場管理方法。
【発明の詳細な説明】
【技術分野】
【０００１】
本発明は、駐車場管理システムにかかり、特に、各車両の駐車場所を管理する駐車場管理システムに関する。
【背景技術】
【０００２】
大規模駐車場では、空きスペースを誘導員が案内することで、その管理が行われている。これに対し、利用者は、後に自分が駐車した場所を捜すために、近くの駐車ブロック番号を覚えたり、周辺の風景を覚えることにより判断して行っていた。
【０００３】
しかしながら、従来の方法では、多数の誘導員が必要であり人件費がかかる、という問題があった。また、利用者は自分が駐車した場所の駐車ブロック番号を忘れたり、時間が経って周囲の様子が変わることで車を容易に見つけることができない、という問題も生じていた。
【０００４】
一方で、下記の特許文献１に、従来例における駐車場管理システムが開示されている。この特許文献１に開示されたシステムを簡単に説明する。まず、携帯電話を用いたシステムでは、車両の入場時に乗員が所有している携帯電話と通信して電話番号を取得すると共に、その携帯電話の電波による位置追跡によって駐車位置を特定している。そして、後に携帯電話を介して駐車場所の問合せがあったときには、電話番号にて車両を特定している。また、入庫時に発行されるＩＤカードを用いたシステムでは、かかるカードを駐車場所に設置されたセンサーにかざして位置登録を行い、また、駐車場所の問合せ時には、ＩＤカードを所定の装置に提示することで行っていた。
【０００５】
【特許文献１】特開２００３−２３３８９８号公報
【発明の開示】
【発明が解決しようとする課題】
【０００６】
しかしながら、上記特許文献１記載の例によると、携帯電話を用いた場合には、入場時に携帯電話の電源が必ず入れられていなければならない、という問題が生じる。また、携帯電話の通信電波の追跡を行うにしても、駐車場の駐車場所といった詳細な位置の追跡は困難であり、正確な駐車場所を管理することが困難である、という問題も生じる。さらには、駐車場内にて携帯電話の番号を取得されるため、個人情報保護の問題も生じうる。
【０００７】
また、ＩＤカードを用いた場合には、かかるＩＤカードを特定する管理番号に基づいてユーザは駐車場所の問合せを行わなければならないため、その問合せを行う専用装置にＩＤカードを挿入など提示しなければならない、という手間が生じうる。このとき、ユーザはＩＤカードを車外に持ち出すことが必要となるため、これによってＩＤカードを紛失してしまう、という問題も生じうる。特に、上記特許文献１では、駐車場所の登録時に、ＩＤカードを車外に持ち出してセンサーに読み取らせる行為を行うことが記載されているため、さらにＩＤカード紛失の問題が生じうる。
【０００８】
このため、本発明では、上記従来例の有する不都合を改善し、特に、駐車場の管理精度の向上を図ると共に、ユーザが駐車場所を容易に知ることができ、ユーザの駐車場利用時における利便性の向上を図ること、をその目的とする。
【課題を解決するための手段】
【０００９】
そこで、本発明の一形態である駐車場管理システムは、
固有の識別情報が記憶され当該識別情報を発信する無線通信手段を備えた駐車場配布カードと、駐車場所ごとに設置され駐車場配布カードから識別情報を読み取るカードリーダと、このカードリーダにネットワークを介して接続され駐車場の駐車場所情報を記憶した記憶手段を有する管理サーバと、を備えた駐車場管理システムであって、
カードリーダが、駐車場配布カードから無線通信手段を介して識別情報を読み取り管理サーバに通知する識別情報読取手段を備えると共に、
管理サーバが、カードリーダから識別情報を取得する識別情報取得手段と、この識別情報を取得したカードリーダが設置されている駐車場所を特定してその駐車場所情報に取得した識別情報を関連付けて記憶手段に記憶する駐車場所登録手段と、携帯端末からアクセスを受けると共に当該携帯端末にて駐車場配布カードから取得された識別情報の送信を受け付ける携帯端末アクセス受付手段と、携帯端末からのアクセス時に送信された識別情報に関連付けられている駐車場所情報を記憶手段から抽出し携帯端末に通知する駐車場所通知手段と、
を備えた、ことを特徴としている。
【００１０】
上記発明によると、まず、携帯端末を有するユーザが車にて駐車場に入場すると、識別情報が記憶された駐車場配布カードが配布される。そして、所定の駐車場所に止めると、当該駐車場所に設置されたカードリーダにて、無線通信手段を介して、車内に設置された駐車場配布カードから識別情報が読み取られ、管理サーバに通知される。すると、管理サーバでは、識別情報を通知してきたカードリーダが設置された駐車場所を特定し、記憶手段内の対応する駐車場所情報に、通知を受けた識別情報を関連付けて記憶する。また、ユーザは、所有する携帯端末にて、駐車場配布カードに記憶された識別情報を読み取っておく。その後、ユーザが、携帯端末にて管理サーバにアクセスし、識別情報を通知することで、管理サーバは識別情報に関連付けられた駐車場所情報を抽出して携帯端末に通知する。従って、駐車場管理側としては、車両の駐車場所を精度よく管理できると共に、ユーザは簡易な操作にて自身の駐車場所を知ることができ、利便性の向上を図ることができる。
【００１１】
そして、駐車場配布カードは、カードリーダに対して無線通信手段にて発信可能なよう識別情報を記憶するカードリーダ用記憶手段と、携帯端末にて読み取り可能なよう識別情報を記憶する携帯端末用記憶手段と、を備えたことを特徴としている。
【００１２】
このとき、駐車場配布カードが有する携帯端末用記憶手段は、携帯端末の画像取得手段にて読み取り可能な印刷記憶手段である、ことを特徴としており、特に、印刷記憶手段は、バーコードである、ことを特徴としている。また、携帯端末用記憶手段は、管理サーバにアクセスするためのアドレスデータを含む、ことを特徴としている。
【００１３】
このように、携帯端末の画像取得手段などによって当該携帯端末にて識別情報を読取可能なバーコードなどで駐車場配布カードに記憶させておくことで、駐車場所情報を要求する際に用いる識別情報を、携帯端末にて容易に読み取ることができる。従って、ユーザの利便性の向上を図ることができる。このとき、管理サーバにアクセスするためのアドレスデータも駐車場配布カードに記憶させておくことで、さらに駐車場所情報の要求作業が容易となる。
【００１４】
また、駐車場配布カードが有するカードリーダ用記憶手段は、識別情報を発信するための無線通信手段を備えたＲＦＩＤタグである、ことを特徴としている。さらに、ＲＦＩＤタグは、識別情報を発信する際に使用される電源を備えた、ことを特徴としている。これにより、駐車場配布カードを薄く形成することができる。特に、電源を装備したアクティブ型ＲＦＩＤタグを用いることで、駐車場配布カードからカードリーダまでの通信距離を伸ばすことができ、車両内にカードを置いた状態で識別情報の通知をより確実に行うことができ、駐車場管理の精度向上と、ユーザの利便性のさらなる向上を図ることができる。
【００１５】
また、管理サーバにて制御され駐車場の空き情報を表示する駐車場案内装置を備え、管理サーバは、駐車場所情報に基づいて識別情報が関連付けられていない駐車場所を空き情報として表示するよう駐車場案内装置に指令を出す駐車場案内手段を備えた、ことを特徴としている。
【００１６】
また、本発明の他の形態である駐車場管理サーバは、
駐車場所ごとに設置され駐車場配布カードに記憶された固有の識別情報を無線通信手段を介して読み取るカードリーダに、ネットワークを介して接続された駐車場管理サーバであって、
駐車場の駐車場所情報を記憶する駐車場所情報記憶手段と、
カードリーダが駐車場配布カードから読み取った識別情報を、当該カードリーダから取得する識別情報取得手段と、
この識別情報を取得したカードリーダが設置されている駐車場所を特定してその駐車場所情報に取得した識別情報を関連付けて駐車場所情報記憶手段に記憶する駐車場所登録手段と、
携帯端末からアクセスを受けると共に当該携帯端末にて駐車場配布カードから取得された識別情報の送信を受け付ける携帯端末アクセス受付手段と、
携帯端末からのアクセス時に送信された識別情報に関連付けられている駐車場所情報を駐車場所情報記憶手段から抽出し携帯端末に通知する駐車場所通知手段と、
を備えた、ことを特徴としている。
【００１７】
さらに、本発明の他の形態であるプログラムは、
駐車場所ごとに設置され駐車場配布カードに記憶された固有の識別情報を無線通信手段を介して読み取るカードリーダに、ネットワークを介して接続され、駐車場の駐車場所情報を記憶する駐車場所情報記憶手段を有する駐車場管理サーバに、
カードリーダが駐車場配布カードから読み取った識別情報を、当該カードリーダから取得する識別情報取得手段と、
この識別情報を取得したカードリーダが設置されている駐車場所を特定してその駐車場所情報に取得した識別情報を関連付けて駐車場所情報記憶手段に記憶する駐車場所登録手段と、
携帯端末からアクセスを受けると共に当該携帯端末にて駐車場配布カードから取得された識別情報の送信を受け付ける携帯端末アクセス受付手段と、
携帯端末からのアクセス時に送信された識別情報に関連付けられている駐車場所情報を駐車場所情報記憶手段から抽出し携帯端末に通知する駐車場所通知手段と、
を実現させるためのプログラムである。
【００１８】
また、本発明の他の形態である駐車場配布カードは、
駐車場に入場した車両に配布される駐車場配布カードであって、
固有の識別情報を記憶する識別情報記憶手段と、
識別情報を、駐車場所ごとに設置されたカードリーダに対して、当該カードリーダに接続された管理サーバに車両の駐車場所を登録するために発信する無線通信手段と、を備え、
識別情報は、携帯端末にて管理サーバに駐車場所を問い合わせるために、携帯端末にて駐車場配布カード上から取得可能なよう記憶されている、
ことを特徴としている。
【００１９】
そして、識別情報記憶手段は、カードリーダに対して無線通信手段にて発信可能なよう識別情報を記憶するカードリーダ用記憶手段と、携帯端末にて読み取り可能なよう識別情報を記憶する携帯端末用記憶手段と、を備えたことを特徴としている。このとき、携帯端末用記憶手段は、携帯端末の画像取得手段にて読み取り可能な印刷記憶手段であり、例えば、バーコードである、ことを特徴としている。また、携帯端末用記憶手段は、携帯端末が管理サーバにアクセスするためのアドレスデータを含む、ことを特徴としている。さらに、カードリーダ用記憶手段は、識別情報を発信するための無線通信手段を備えたＲＦＩＤタグである、ことを特徴としており、ＲＦＩＤタグは、識別情報を発信する際に使用される電源を備えた、ことを特徴としている。
【００２０】
また、本発明の他の形態である駐車場管理方法は、
固有の識別情報が記憶され当該識別情報を発信する無線通信手段を備えた駐車場配布カードと、駐車場所ごとに設置され駐車場配布カードから識別情報を読み取るカードリーダと、このカードリーダにネットワークを介して接続され駐車場の駐車場所情報を記憶した記憶手段を有する管理サーバと、この管理サーバに駐車場所を問い合わせる携帯端末と、を用いて、駐車場を管理する方法であって、
カードリーダが、駐車場配布カードから無線通信手段を介して識別情報を読み取り管理サーバに通知する識別情報読取工程と、
管理サーバが、カードリーダにて読み取られた識別情報を取得する識別情報取得工程と、
管理サーバが、識別情報を取得したカードリーダが設置されている駐車場所を特定してその駐車場所情報に取得した識別情報を関連付けて記憶手段に記憶する駐車場所登録工程と、を有し、
その後、管理サーバが、携帯端末から識別情報の通知を含むアクセスを受け付ける携帯端末アクセス受付工程と、
管理サーバが、携帯端末からのアクセス時に送信された識別情報に関連付けられている駐車場所情報を記憶手段から抽出し携帯端末に通知する駐車場所通知工程と、を有すると共に、
少なくとも携帯端末アクセス工程の前に、携帯端末が、駐車場配布カードに記憶された識別情報を取得する携帯端末識別情報取得工程と、を有する、
ことを特徴としている。
【００２１】
そして、携帯端末識別情報取得工程は、携帯端末が、当該携帯端末に装備された画像取得手段にて、駐車場配布カードに設けられた識別情報を記憶する印刷記憶手段から当該識別情報を読み取る、ことを特徴としている。さらに、携帯端末識別情報取得工程は、携帯端末が、印刷記憶手段に記憶された管理サーバにアクセスするためのアドレスデータを識別情報と共に読み取る、ことを特徴としている。
【００２２】
上述した構成の管理サーバ、プログラム、駐車場配布カード、駐車場管理方法であっても、上記駐車場管理システムと同様の作用を有するため、上述した本発明の目的を達成することができる。
【発明の効果】
【００２３】
本発明は、以上のように構成され機能するので、これによると、駐車場所ごとに配置されたカードリーダと、ユーザの携帯端末と、によって読み取り可能なよう、駐車場配布カードに識別情報を記憶しておくことで、駐車場管理側としては、車両の駐車場所を精度よく管理できると共に、ユーザは簡易な操作にて自身の駐車場所を知ることができ、利便性の向上を図ることができる、という従来にない優れた効果を有する。
【発明を実施するための最良の形態】
【００２４】
本発明は、駐車場配布カードに記憶された識別情報を、管理サーバにて精度よく駐車場所を管理することができるよう駐車場所ごとに配置されたカードリーダによって読み取られるようにし、かつ、ユーザにて携帯端末を用いて駐車場所の問い合わせが容易にできるよう上記識別情報が携帯端末にも読み取られるようにした、ことに特徴を有する。以下、本発明の具体的な構成及び動作の一例を、実施例を参照して説明する。
【実施例１】
【００２５】
本発明の第１の実施例を、図１乃至図７を参照して説明する。図１は、駐車場の様子を示す概略図である。図２は、システム全体の構成を示すブロック図である。図３乃至図４は、駐車カードの構成を示す図である。図５は、管理サーバの構成を示す機能ブロック図である。図６は、システムの動作を示す説明図であり、図７は、フローチャートである。
【００２６】
［構成］
まず、駐車場の構成について説明する。図１乃至図２に示すように、本発明である駐車場管理システムは、複数の区画された駐車場所８を有する駐車場７に設置されている。そして、この駐車場７の各駐車場所８には、それぞれに設置されたＲＦＩＤ読取センサー３が装備されている。また、駐車場管理システムは、これらＲＦＩＤ読取センサー３にネットワーク２を介して接続された駐車場管理サーバ５（図２参照）を、駐車場７の施設内や所定のデータセンターに備えている。
【００２７】
また、駐車場７には、入口ゲート９と出口ゲート１０とを備えているが、特に、入口ゲート９では、入場してきた車両に対して駐車カード４（図２参照）が配布される。また、入口ゲート９付近には、駐車場７の空き情報を表示する駐車場案内板６が設置されている。以下、各構成についてさらに詳述する。
【００２８】
まず、入口ゲート９で車両に配布される駐車カード４（駐車場配布カード）は、紙製あるいはプラスチック製のカードであり、図３に示すように、ＲＦＩＤタグ１２と、２次元バーコード１１と、を備えている。
【００２９】
ＲＦＩＤタグ１２は、図４（ａ）に示すように、無線通信部１２ａ（無線通信手段）と、固有の識別情報（以下、「ＩＤ」という）を記憶した固有ＩＤ記憶部１２ｂ（カードリーダ用記憶手段、識別情報記憶手段）と、電源１２ｃ（太陽電池等の電源）と、を備えたアクティブ型の一般的なＲＦＩＤタグである。かかる構成により、このＲＦＩＤタグ１２は、後述するＲＦＩＤ読取センサー３による読取要求発信に応じて作動し、電源１２ｃにて供給される電力を用いて固有ＩＤ記憶部１２ｂに記憶されているＩＤを、ＲＦＩＤ読取センサー３に向けて発信する。
【００３０】
また、２次元バーコード１１は、後述する携帯電話１のカメラにて取得され読取可能な２次元バーコード（印刷記憶手段、携帯端末用記憶手段、識別情報記憶手段）である。この２次元バーコード１１には、図４（ｂ）に示すように、上述したＲＦＩＤタグ１２に記憶されたＩＤと同一のＩＤ（１１ａ）と、駐車場管理サーバ５にアクセスするためのアドレスデータであるＵＲＬ（１１ｂ）と、が含まれている。つまり、携帯電話１のカメラ（画像取得手段）にて２次元バーコード１１を撮影することで、当該携帯電話１には、上記ＩＤ（１１ａ）とＵＲＬ（１１ｂ）とが取り込まれることとなる。なお、上記ＵＲＬ（１１ｂ）は、後述するように、携帯電話１が、駐車場管理サーバ５に駐車場所の問合せを行うためにアクセスするアドレスである。
【００３１】
なお、本実施例における駐車カード４には、図３に示すように、「駐車中は、駐車カードをお車のダッシュボードに置いて下さい」との文章が印刷されており、これに応じて、ユーザは、駐車した車に駐車カード４を置いたまま、当該車を出て外出する。
【００３２】
次に、ＲＦＩＤ読取センサー３（カードリーダ）について説明する。上述したように、ＲＦＩＤ読取センサー３は、各駐車場所８に設置されているＲＦＩＤカードリーダである。そして、このＲＦＩＤ読取センサー３は、設置された駐車場所８付近に読取要求を発信している。従って、この読取要求が車両に置かれた駐車カード４上のＲＦＩＤタグ１２に対して発信されると、これを受信したＲＦＩＤタグ１２から駐車カード４に固有のＩＤを取得することができる。そして、さらに、ＲＦＩＤ読取センサー３は、取得したＩＤをネットワーク２を通じて駐車場管理サーバ５に通知する機能（識別情報読取手段）を有する。なお、ＲＦＩＤ読取センサー３がＩＤを駐車場管理サーバ５に通知する際には、各ＲＦＩＤ読取センサー３が記憶している自己を特定する情報も通知する。
【００３３】
次に、駐車場管理サーバ５（管理サーバ）について、図５を参照して説明する。この駐車場管理サーバ５は、ＣＰＵなどの演算装置やハードディスクなどの記憶装置を備えた一般的なサーバコンピュータであって、上述したように、各駐車場所に設置された複数のＲＦＩＤ読取センサー３と、駐車場案内表示板６と、にネットワーク２を介して接続されている。
【００３４】
そして、図５に示すように、駐車場管理サーバ５の演算装置には、所定のプログラムが組み込まれることにより、カードＩＤ取得処理部５１と、駐車場所登録処理部５２と、駐車案内処理部５３と、アクセス受付処理部５４と、駐車場所検索処理部５５と、駐車場所通知処理部５６と、が構築されている。また、記憶装置には、駐車場所情報記憶部５７が形成されている。以下、さらに詳述する。
【００３５】
まず、駐車場所情報記憶部５７（駐車場所情報記憶手段）には、予め駐車場７の各駐車場所８を示す番号である駐車ブロック番号５７ａ（駐車場所情報）が記憶されている。なお、この駐車ブロック番号５７ａには、当該ブロックに設置されたＲＦＩＤ読取センサー３を特定する情報（図示せず）も関連付けられて記憶されている。また、この駐車ブロック番号５７ａには、各駐車場所を図示する地図情報である駐車場所地図５７ｂが、関連付けられて記憶されている。なお、この駐車場所地図５７ｂは、携帯電話１に表示可能な画像データとして構成されている。
【００３６】
次に、カードＩＤ取得処理部５１（識別情報取得手段）は、上述したように、ＲＦＩＤ読取センサー３から当該センサー３が駐車カード４から読み取ったＩＤを取得し、駐車場所登録処理部５２に通知する。なお、このとき、ＲＦＩＤ読取センサー３からは、当該ＲＦＩＤ読取センサー３を特定する情報も通知される。
【００３７】
駐車場所登録処理部５２（駐車場所登録手段）は、あるＲＦＩＤ読取センサー３からＩＤの通知を受けると、まず、ＩＤと共に送信されたＲＦＩＤ読取センサー３を特定する情報に基づいて、当該ＩＤを送信してきたＲＦＩＤ読取センサー３が設置されている駐車ブロック（駐車場所）を特定する。そして、その駐車ブロック番号５７ａに、通知されたＩＤを関連付けて、登録ＩＤ５７ｃとして駐車場所情報記憶部５７に記憶する。これにより、車両が駐車されている駐車ブロック番号５７ａには、ＩＤが関連付けられることとなる。
【００３８】
駐車案内処理部５３（駐車場案内手段）は、上記駐車場所登録処理部５２からＩＤの登録があった旨の通知を受けたとき、あるいは、一定の時間間隔ごとに作動し、駐車場案内板６に対して駐車場の空き情報を表示するよう指令を出す。例えば、駐車場所情報記憶部５７内の駐車ブロック番号５７ａを調べ、登録ＩＤ５７ｃが関連付けられていない駐車ブロック番号を空きブロックであるとして表示するよう指令を出す。また、満車である場合には、満車である旨を表示するよう指令を出す。
【００３９】
また、アクセス受付処理部５４（携帯端末アクセス受付手段）は、携帯電話１からアクセスを受けると共に、当該携帯電話１にて駐車カード４から読み取られたＩＤの送信を受け付ける。このとき、アクセスを受けるアドレスは、駐車場管理サーバ５内に形成された駐車場所問合せ用のサイトを表すＵＲＬであって、上述した駐車カード４の２次元バーコード１１に含まれたＵＲＬ（１１ｂ）である。また、携帯電話１から通知されるＩＤも、同じく２次元バーコード１１に含まれたＩＤ（１１ａ）である。
【００４０】
そして、駐車場所検索手段５５は、上述したように携帯電話１からアクセスを受けると、送信されたＩＤに関連付けられている駐車ブロック情報を、駐車場所情報記憶部５７内から検索して抽出する。このとき、検索された駐車ブロック情報５７ａに関連付けられたその駐車場所を図示する駐車場所地図５７ｂも抽出して、駐車場所通知処理部５６に通知する。そして、駐車場所通知処理部５６は、抽出された駐車ブロック情報５７ａと駐車場所地図５７ｂと、を携帯電話１に通知する。このように、駐車場所検索処理部５５と駐車場所通知処理部５６とは、協働して駐車場所通知手段として作動する。
【００４１】
ここで、上述した携帯電話１は、一般的な携帯電話であり、特に実施例では、カメラ機能（画像取得手段）を装備し、上述した２次元バーコードを撮影して認識する機能（バーコードリーダ機能）を有する。なお、ここでいうカメラ機能は、少なくともバーコードを認識できればよい。
【００４２】
また、駐車場案内板６（駐車場案内装置）は、例えば、ディスプレイを備えたコンピュータにて構成されており、上述した駐車場管理サーバ５からの指示に応じて、空いている駐車ブロックをディスプレイに図示して表示する機能を有する。
【００４３】
［動作］
次に、上記構成の駐車場管理システムの動作を、図６乃至図７を参照して説明する。まず、駐車場７に入場した車両１００のユーザ１０１は、入口ゲート９にて、上述したアクティブ型のＲＦＩＤタグ１２と２次元バーコード１１を装備した駐車カード４を受け取る（ステップＳ１）。そして、ユーザ１０１は、駐車場案内表示板６を参照して空きスペースを調べ、図６（ａ）に示すように、所定の駐車場所８に駐車する（ステップＳ２）。ユーザ１０１は、駐車カード４の２次元バーコード１１（ＱＲコード）を携帯電話１のバーコードリーダで読み取って保存し（図６（ａ）の矢印Ｙ１参照、携帯端末識別情報取得工程）、駐車カード４は車のダッシュボードに置く（ステップＳ１１）。そして、ユーザ１０１は、車外に外出する。
【００４４】
その後、駐車場管理サーバ５は、定期的に駐車場所周辺に設置されたＲＦＩＤ読取センサー３に指示を出し、駐車している車１００のダッシュボードに載置されている駐車カード４のＲＦＩＤタグ１２と交信させ（図６（ａ）の矢印Ｙ２参照）、当該ＲＦＩＤタグ１２に記録されている固有のＩＤを読み取らせる（ステップＳ４、識別情報読取工程）。そして、ＲＦＩＤ読取センサー３にて読み取ったＩＤを駐車場管理サーバ５が取得し（識別情報取得工程）、そのＲＦＩＤ読取センサー３が設置されている駐車ブロックを特定すると共に、当該駐車ブロック情報５７ａにＩＤを関連付けて駐車場所情報記憶部５７に保存する（ステップＳ５、ステップＳ６、駐車場所登録工程）。
【００４５】
なお、駐車場管理サーバ５は、駐車場所情報記憶部５７を参照して、駐車されていないスペース、つまり、ＩＤが関連付けられていない駐車場所に他の車を誘導するよう、駐車場案内表示板６に空き駐車場所の表示を行う（ステップＳ７、ステップＳ８、ステップＳ９）。
【００４６】
その後、ユーザ１０１が外出先から駐車場７に戻ってきた際に、当該ユーザ１０１が自分の車の駐車場所が分からなくなったとすると、上述したように（ステップＳ１１）、車外に出る前に携帯電話１で２次元バーコード１１から読み取った駐車場管理サーバ５のＵＲＬにアクセスする。このとき、駐車カード４の固有のＩＤも同時に送信される（ステップＳ１２、図６（ｂ）の矢印Ｙ３参照）。すると、駐車場管理サーバ５は、携帯電話１からのアクセスを受け付け（携帯端末アクセス受付工程）、送信されてきたＩＤにより、駐車場所情報記憶部５７から登録されているユーザ１０１の車１００を特定し、駐車場所を示す地図および駐車ブロック番号を送信する（駐車場所通知工程）。
【００４７】
これにより、ユーザ１０１は、携帯電話１にて駐車位置の地図及び駐車ブロック番号を受信することができ（ステップＳ１３、図６（ｂ）の矢印Ｙ４参照）、これを画面に表示させることで、地図および駐車ブロック番号をもとに駐車場所まで辿りつくことができる（ステップＳ１４）。
【００４８】
その後、車両１００を駐車場所から退車し（ステップＳ１５）、駐車場の出口ゲート１０にて、駐車カード４を返却する（ステップＳ１６）。なお、駐車カード４の製造コストが下がれば、退場読取りのみを行い、カードの回収を行わなくてもよい。そして、駐車場の出口ゲート１０にて駐車カード４を読み取ることにより、駐車場管理サーバ５は、駐車場７を利用した車１００が退場したことを認識し、その駐車カード４のＩＤが関連付けられていた駐車ブロックが空きになったことを、駐車場所情報記憶部５７内に記録する（ステップＳ１７、ステップＳ１８）。
【００４９】
このようにすることにより、まず、大規模駐車場であっても、通信距離の長いアクティブ型のＲＦＩＤ（無線ＩＣタグ）および２次元バーコードを組み合わせてなる駐車カードを入場時に受け取り、かつ、駐車位置周辺に設置したＲＦＩＤ読取センサー３で駐車カード４を読み取ることにより、駐車スペースが利用中か空いているかが容易に判別できるので空きスペースの効率的かつ精度よく管理ができ、駐車場の有効利用を図ることができる。さらに、駐車場の人件費の削減をも図ることができる。
【００５０】
また、ユーザが、駐車した場所まで戻る際に、自分が駐車した場所の駐車ブロック番号を忘れたり、時間が経って周囲の様子が変わった場合であっても、事前に携帯電話のバーコードリーダで読み取った駐車カードの２次元バーコードに記録されている駐車場管理サーバのＵＲＬに接続し、当該駐車場管理サーバから配信される地図情報と駐車カードの固有ＩＤから特定される駐車位置情報とにより、利用者は容易に自分が駐車した場所に辿り着くことができる。その結果、車を容易に見つけることができ、ユーザの利便性の向上を図ることができる。
【００５１】
ここで、上記では、駐車カード４に、携帯電話１にて読取可能な情報として２次元バーコード１１を形成した場合を例示したが、駐車カード４からＩＤが携帯電話１にて取得可能であれば、駐車カード４には他の構成にてＩＤが記憶されていてもよい。例えば、ＲＦＩＤタグ１２と通信する機能を携帯電話１が備えている場合には、当該ＲＦＩＤタグ１２からＩＤを取得してもよい。かかる場合には、駐車カード４に２次元バーコード１１を備える必要はなく、ＲＦＩＤタグ１２だけを設ければよいこととなる。
【産業上の利用可能性】
【００５２】
本発明は、駐車場にて駐車状況を管理するシステムとして利用することができ、特に大規模駐車場に利用することが有効であり、産業上の利用可能性を有する。
【図面の簡単な説明】
【００５３】
【図１】駐車場の様子及び本発明であるシステム構成を示す概略図である。
【図２】本発明であるシステム全体の構成を示すブロック図である。
【図３】駐車カードの構成を示す図である。
【図４】図４（ａ）は駐車カードに装備されたＲＦＩＤタグの構成を示す図であり、図４（ｂ）は駐車カードに装備された２次元バーコードの構成を示す図である。
【図５】管理サーバの構成を示す機能ブロック図である。
【図６】システムの動作を示す説明図である。
【図７】システムの動作を示すフローチャートである。
【符号の説明】
【００５４】
１  携帯電話
２  ネットワーク
３  ＲＦＩＤ読取センサー
４  駐車カード
５  駐車場管理サーバ
６  駐車場案内表示板
７  駐車場
８  駐車場所
９  入口ゲート
１０  出口ゲート
１１  ２次元バーコード
１２  ＲＦＩＤタグ
５１  カードＩＤ取得処理部
５２  駐車場所登録処理部
５３  駐車案内処理部
５４  アクセス受付処理部
５５  駐車場所検索処理部
５６  駐車場所通知処理部
５７  駐車場所情報記憶部
１１ａ  ＩＤ
１１ｂ  ＵＲＬ
１２ａ  無線通信部
１２ｂ  固有ＩＤ記憶部
１２ｃ  電源
５７ａ  駐車ブロック番号
５７ｂ  駐車場所地図
５７ｃ  登録ＩＤ
【図１】
0004807082.tif 000002
【図２】
0004807082.tif 000003
【図３】
0004807082.tif 000004
【図４】
0004807082.tif 000005
【図５】
0004807082.tif 000006
【図６】
0004807082.tif 000007
【図７】
0004807082.tif 000008